(57)【要約】【課題】  手押し杆の切換誤操作により手押し杆或いはベビーカー本体の転倒を防止し得るようにしたベビーカーを得ること。  【解決手段】  ベビーカー本体を使用可能な展開状態、或いは折り畳み状態とし得るようにするとともに、手押し杆１５を背面押し状態或いは対面押し状態に選択的に切換可能としたベビーカーに関する。アームレスト１６を装着したパイプ１７と後脚１４とのロック或いはロック解除を行うブラッケット２５との枢着軸と同一軸線上に下端部が前記パイプに枢着された手押し杆１５の下端に、前記ブラッケット２５との枢着部を覆うハンドルカバー４１を設け、そのハンドルカバー４１と上記ブラッケット２５との対向面に、ベビーカー本体の展開・折り畳み時、及び対面・背面切換時には互いに干渉することがなく、手押し杆１５とブラッケット２５とが相対的にその範囲以上に回動しようとしたときに、その回動を阻止する回動規制部４０、４１ｂを設けた。【選択図】  図４
2005096590.tif 000002
【特許請求の範囲】
【請求項１】
使用可能な展開状態、或いは折り畳み状態とし得るようにするとともに、手押し杆を背面押し状態或いは対面押し状態に選択的に切換可能としたベビーカーにおいて、一端部が後脚に枢着され、中間部が互いに平行に延びる左右２本のパイプの下端部にそれぞれ枢着されるとともに、他端部に後脚を上記パイプにロックする係合部が設けられたブラケットと、上記パイプとブラッケットとの枢着軸と同一軸線上に下端部が上記パイプに枢着された手押し杆とを有し、そのブラッケットの外側面と手押し杆との間に、ベビーカー本体の展開・折り畳み時、及び対面・背面切換時には互いに干渉することがなく、手押し杆とブラッケットとが相対的にその範囲以上に回動しようとしたとき、その回動を阻止する回動規制部が設けられていることを特徴とする、ベビーカー。
【請求項２】
回動規制部は、上記手押し杆の下端に設けられて前記ブラッケットとの枢着部を覆うハンドルカバーと上記ブラッケットとの対向面の一方に設けられた弧状の凹部と、上記凹部内を移動する、ハンドルカバーと上記ブラッケットとの対向面の他方に設けられた凸部であることを特徴とする、請求項１記載のベビーカー。
【請求項３】
ベビーカー本体の展開時に、ハンドルカバーと上記ブラッケットとの対向面の一方に形成された凸部が、他方に形成された弧状の凹部の一端壁面に当接し、折り畳み時には、ハンドルカバーと上記ブラッケットとの対向面の一方に形成された凸部が、他方に形成された弧状の凹部の他方の端壁面に当接し、ハンドルカバーと上記ブラッケットとの相対的な回動が規制されることを特徴とする、請求項１又は２記載のベビーカー。
【請求項４】
回動規制部は、手押し杆に沿って摺動可能に装着されたロック解除部材から突設されたロック解除杆と、前記ブラッケットの外側面に設けられ、ベビーカー本体が２つ折り状態に折り畳まれたとき上記ロック解除杆に当接し、手押し杆とブラッケットとが相対的にそれ以上回動することを防止する凸部であることを特徴とする、請求項１記載のベビーカー。
【発明の詳細な説明】
【技術分野】
【０００１】
本発明はベビーカーに係り、特に、使用可能な展開状態、或いは折り畳み状態とし得るようにするとともに、手押し杆を背面押し状態或いは対面押し状態に選択的に切換可能としたベビーカーに関する。
【背景技術】
【０００２】
一般に、乳幼児を散歩や買い物等のために屋外に連れ出す場合に使用するベビーカーにおいては、手押し杆を背面押し状態或いは対面押し状態に切り換え可能とするとともに、必要に応じて折り畳み、収納や携帯が容易になるようしたものが種々提案され実用に供されている。
【０００３】
図６は、前脚と後脚とが互いに平行状態になるように２つ折り状態に折り畳んだ後、さらにコ字状に折り畳み、３つ折り状態に折り畳み可能としたベビーカーの概略構成を示す斜視図であり、前輪１１を有する左右一対の前脚１２，後輪１３を有する左右一対の後脚１４、ほぼＵ字状に屈曲された手押し杆１５、左右一対のアームレスト１６、及びそのアームレストの基端部がそれぞれ枢着された、互いに平行に延びる左右２本のパイプ１７を有している。
【０００４】
上記各アームレスト１６の先端側には前脚１２が枢着されており、その左右のアームレスト１６の先端部間には弧状の屈曲可能なガードアーム１８が着脱自在に掛け渡されている。また、左右のアームレスト１６には後脚１４の上端が枢着されている。左右の前脚１２は足乗せ板１９を有する前側連結バー２０によって連結されており、左右の後脚１４は後側連結バー２１によって連結されている。さらに各前脚１２の中間部には連結バー２２の前端がそれぞれ枢着され、その連結バー２２の後端は、それぞれ前記パイプ１７の下部に固着された後脚支持部材２３に枢着されている。また左右の連結バー２２は上側連結バー２４によって連結されている。そして、これらの前脚１２、後脚１４、アームレスト１６、パイプ１７、及びそれらを連結する連結バーによってベビーカー本体が構成されている。
【０００５】
上記後脚支持部材２３にはその外側面にＵ字状の手押し杆１５の下端部が軸１５ａにより前後に揺動可能に枢着されており、上記手押し杆１５をアームレスト１６の前端部及び後端部の外側面に固設された係止突起１６ａ、１６ｂに選択的に係合させることにより、図７に示すように、上記手押し杆１５を実線で示す背面押し状態、或いは２点鎖線で示す対面押し状態とすることができるようにしてある。
【０００６】
図８に示すように、後脚１４にはＬ字状のブラッケット２５の下端部が枢着されており、そのブラッケット２５の中間部が上記後脚支持部材２３に軸２３ａにより枢着されている。そのブラッケット２５の自由端部には後脚１４をパイプ１７にロックするロック部材２６の係止段部２６ａと係合する切り欠き段部２５ａが設けられている。上記ロック部材２６は上記パイプ１７に摺動可能に装着されており、手押し杆１５が背面押し状態に位置しているときにその手押し杆１５の頂端部に設けられた遠隔操作装置２７によってパイプ１７に沿って上下摺動操作されるようにしてある。また、後脚支持部材２３には後脚１４と対向する面に展開時の後脚１４に当接しその展開状態を保持する段部２３ｂが形成されている。
【０００７】
前記手押し杆１５には、図６に示すように、前記係止突起１６ａ、１６ｂに選択的に係合する凹部を有する係止フック３０がその手押し杆１５に沿って摺動可能に装着されており、その係止フック３０はスプリングにより下方に付勢されている。
【０００８】
しかして、図８に示すように、ロック部材２６がＬ字状のブラッケット２５の切り欠き段部２５ａに係合すると、そのブラッケット２５を介して後脚１４とパイプ１７とがロックされ、ベビーカー本体が実線で示す使用可能な展開状態に保持される。一方、前記背面押し状態にした後、遠隔操作装置２７によってロック部材２６が引き上げられると、ロック部材２６によるロックが解放される。そこで、後輪１３を前方に移動させるようにするとともに手押し杆１５を下方に押し下げるようにすれば、アームレスト１６、前脚１２、後脚１４が図８、図９に２点鎖線で示すように上方に揺動され、携帯等に便利なように２つに折り畳むことができる。
【０００９】
ところで、手押し杆１５、前側連結バー２０、後側連結バー２１及び上側連結バー２４、にはそれぞれ中間部の２ヵ所にジョイント１５ａ１、１５ａ２、２０ａ１、２０ａ２、２１ａ１、２１ａ２、２４ａ１、２４ａ２が設けられ、そのジョイントにより折り畳み可能としてある。そして、各ジョイントは、ジョイント１５ａ１、２０ａ１、、２１ａ１、２４ａ１  の軸線、及び１５ａ２、２０ａ２、２１ａ２、２４ａ２の軸線が、前脚１２と後脚１４とが互いに平行状態に折り畳まれたときに、それぞれ同一軸線上に位置し、且つ互いに平行になるようにしてある。
【００１０】
しかして、前述のように前脚１２と後脚１４とが互いに平行状態になるように２つ折り状態に折り畳んだ後、手押し杆１５のジョイントより外側部分を前方に移動させると、各ジョイントによって手押し杆１５、前側連結バー２０、後側連結バー２１の外側部分が前方に折り曲げられ、ベビーカーを図１０に示すように３つ折り状態にコンパクトに折り畳むことができる。
【特許文献１】特開２０００−３１６６５０号公報
【発明の開示】
【発明が解決しようとする課題】
【００１１】
ところが、上述のように手押し杆１５に設けられた遠隔装置２７により対面押し状態或いは背面押し状態に切り換え可能なベビーカーにおいて、ベビーカー本体を２つ折り状態に折り畳んだ状態で遠隔操作装置を誤操作して係止フックを解除した場合、２つ折り状態になっているベビーカー本体が手押し杆１５に設けられた左右の係止フック３０間を通り抜け、後方に倒れてしまうことがある等の問題がある。そこで、例えば手押し杆１５に、後方に移動するベビーカー本体が当接してその後方への転倒を防止する転倒防止部材を設けたり、或いは係止フック３０に係合するアームレスト１６に設けられた係止突起１６ａ、１６ｂを左右方向に長くして、折り畳み時に上記係止突起が手押し杆１５に当たり、上記ベビーカー本体が後方へ倒れることを防止することが行われている。しかしながら、前者においては傾倒防止用の特別の部材を設ける必要があり、後者においては外観が損なわれる等の問題がある。
【００１２】
本発明は、このような点に鑑み、外観を犠牲にすることがなく、しかも特別の転倒防止用の部材を設ける必要もなく、上記切換誤操作を防止しできるようにしたベビーカーを得ることを目的とする。  
【課題を解決するための手段】
【００１３】
請求項１に係る発明は、使用可能な展開状態、或いは折り畳み状態とし得るようにするとともに、手押し杆を背面押し状態或いは対面押し状態に選択的に切換可能としたベビーカーにおいて、一端部が後脚に枢着され、中間部が互いに平行に延びる左右２本のパイプの下端部にそれぞれ枢着されるとともに、他端部に後脚を上記パイプにロックする係合部が設けられたブラケットと、上記パイプとブラッケットとの枢着軸と同一軸線上に下端部が上記パイプに枢着された手押し杆とを有し、その手押し杆と上記ブラッケットとの対向面に、ベビーカー本体の展開・折り畳み時、及び対面・背面切換時には互いに干渉することがなく、手押し杆とブラッケットとが相対的にその範囲以上に回動しようとしたとき、その回動を阻止する回動規制部が設けられていることを特徴とする。
【００１４】
請求項２に係る発明は、請求項１に係る発明において、回動規制部は、、上記手押し杆の下端に設けられて前記ブラッケットとの枢着部を覆うハンドルカバーと上記ブラッケットとの対向面の一方に設けられた弧状の凹部と、上記凹部内を移動する、ハンドルカバーと上記ブラッケットとの対向面の他方に設けられた凸部であることを特徴とする。
【００１５】
請求項３に係る発明は、請求項１又は２に係る発明において、ベビーカー本体の展開時に、ハンドルカバーと上記ブラッケットとの対向面の一方に形成された凸部が、他方に形成された弧状の凹部の一端壁面に当接し、折り畳み時には、ハンドルカバーと上記ブラッケットとの対向面の一方に形成された凸部が、他方に形成された弧状の凹部の他方の端壁面に当接し、ハンドルカバーと上記ブラッケットとの相対的な回動が規制されることを特徴とする。
【００１６】
請求項４に係る発明は、請求項１に係る発明において、回動規制部は、手押し杆に沿って摺動可能に装着されたロック解除部材から突設されたロック解除杆と、前記ブラッケットの外側面に設けられ、ベビーカー本体が２つ折り状態に折り畳まれたとき上記ロック解除杆に当接し、手押し杆とブラッケットとが相対的にそれ以上回動することを防止する凸部であることを特徴とする、請求項１記載のベビーカー。
【発明の効果】
【００１７】
本発明は、後脚をロックするロック部材と係脱可能なブラッケットと手押し杆との対向面に、ベビーカー本体の展開・折り畳み時、及び対面・背面切換時には互いに干渉することがなく、手押し杆とブラッケットとが相対的にその範囲以上に回動しようとしたときに互いに当接し、その回動を阻止する回動規制部を設けたので、ベビーカー本体の折り畳み状態時において、手押し杆に設けられている遠隔操作装置を誤操作して対面・背面切換用の係止フックを解除した場合にも、手押し杆に対してベビーカー本体が後方に回動することが規制され、上記ベビーカー本体が後方へ転倒することが確実に防止される。しかも、上記転倒防止用に特別の別部材を設ける必要もなく、また外観を損なうこともない。
【発明を実施するための最良の形態】
【００１８】
以下、図１乃至図４を参照して本発明の実施の形態について説明する。図１は、本発明のベビーカーの概略構成を示す斜視図であり、前輪１１を有する左右一対の前脚１２，後輪１３を有する左右一対の後脚１４、ほぼＵ字状に屈曲された手押し杆１５、左右一対のアームレスト１６、及びそのアームレストの基端部がそれぞれ枢着された、互いに平行に延びる左右２本のパイプ１７を有している。
【００１９】
上記各アームレスト１６の先端側には前脚１２が枢着されており、その左右のアームレスト１６の先端部間には弧状の屈曲可能なガードアーム１８が着脱自在に掛け渡されている。また、左右のアームレスト１６には後脚１４の上端が枢着されている。左右の前脚１２は足乗せ板１９を有する前側連結バー２０によって連結されており、左右の後脚１４は後側連結バー２１によって連結されている。さらに各前脚１２の中間部には、図２に示すように、連結バー２２の前端がそれぞれ枢着され、その連結バー２２の後端は、それぞれ前記パイプ１７の下部に枢着されている。また左右の連結バー２２は上側連結バー（図示せず）によって互いに連結されている。
【００２０】
後脚１４にはＬ字状のブラッケット２５の下端部が枢着されており、そのブラッケット２５の中間部が上記パイプ１７の下端部に軸３１により枢着され、さらに上記軸３１に手押し杆１５が前後に揺動可能に枢着されている。そのブラッケット２５の自由端部には、後脚１４をパイプ１７にロックするロック部材２６の係止段部２６ａと係合する切り欠き段部２５ａが設けられている。上記ロック部材２６は上記パイプ１７に摺動可能に装着されており、手押し杆１５の頂端部に設けられた遠隔操作装置２７によってパイプ１７に沿って上下摺動操作されるようにしてある。すなわち、手押し杆１５には上記遠隔操作装置２７によって操作されるロック解除部材３２が手押し杆１５に沿って摺動可能に装着されており、そのロック解除部材３２の外面には上記ロック部材２６方向に延びるロック解除杆３３（図３）が突出されている。一方、前記ロック部材２６には上記ロック解除杆の上方に突出する作動板３４が設けられており、前記遠隔操作装置２７によりロック解除部材３２とともにロック解除杆３３が上方に引き上げられると、作動板３４を介してロック部材２６が引き上げられ、ブラッケット２５のロックが解除される。また、パイプ１７の下端部には後脚１４と対向する面に展開時の後脚１４に当接しその展開状態を保持する後脚支持部（図示せず）が設けられている。
【００２１】
しかして、図２（ｂ）に示すように、ロック部材２６がＬ字状のブラッケット２５の切り欠き段部２５ａに係合すると、そのブラッケット２５を介して後脚１４とパイプ１７とがロックされ、ベビーカー本体が使用可能な展開状態に保持される。一方、遠隔操作装置２７によってロック部材２６が引き上げられると、ロック部材２６によるロックが解放され、アームレスト１６、前脚１２、後脚１４が従来装置と同様に上方に揺動可能となり、携帯等に便利なように２つに折り畳むことができる。
【００２２】
前記パイプ１７には、図２（ｂ）に示すように手押し杆固定用のボス３５がピン３６により固着されており、上記ピン３６にアームレスト１６の基端部が枢着されている。上記ボス３５はアームレスト１６と反対方向に突出されており、そのボス３５の外面側に後述する係止フック３７が係合する第１の係止突起３８ａ（図２（ｂ））が設けられている。また、アームレスト１６の先端部外面には上記係止フック３７が選択的に係合される第２の係止突起３８ｂ（図２（ａ））が突設されている。
【００２３】
一方、上記手押し杆１５には、係止フック３７がその手押し杆１５に沿って摺動可能に装着されており、上記係止フック３７には、図３（ａ）に示すように、上記第１の係止突起３８ａに係合可能な第１の凹部３７ａ、及び第２の係止突起３８ｂに係合可能な第２の凹部３７ｂが形成されている。
【００２４】
しかして、前記遠隔操作装置２７によって上記係止フック３７をスプリングに抗して引き上げて手押し杆１５を後方に揺動させると、図３（ａ）に示すように、係止フック３７の第１の凹部３７ａが前記第１の係止突起３８ａに係合し、図２（ａ）に示すように、手押し杆１５が後方揺動位置、すなわち背面押し状態に固定される。一方、係止フック３７を引き上げて手押し杆１５を前方に揺動させると、図３（ｂ）に示すように、上記係止部材３７の第２の凹部３７ｂが前記第２の係止突起３８ｂに係合し、図２（ｂ）に示すように、手押し杆１５が前方揺動位置、すなわち対面押し状態に固定される。
【００２５】
図４（ａ）、（ｂ）は、パイプ１７の下端部に枢着されているブラッケット２５と手押し杆１５との取付部の分解斜視図であって、ブラッケット２５の外面には軸３１が嵌挿される軸受部２５ａが形成されており、その軸受部２５ａには径方向に突出する凸部４０が形成されている。一方、上記ブラッケット２５とともに軸３１によりパイプ１７に枢着されている手押し杆１５の下端部には、上記手押し杆１５の枢着部を覆うハンドルカバー４１が固着されている。上記ハンドルカバー４１には、図４（ｂ）に示すように、上記ブラッケット２５と対向する面に上記ブラッケット２５の軸受部２５ａの一部に同心状に嵌合する円筒部４１ａが形成されており、ハンドルカバー４１の内周面には隔壁４１ｂにより区画された弧状の凹部４１ｃが形成されている。そして、上記弧状の凹部４１ｃ内に前記ブラッケット２５の凸部４０が嵌合され、上記隔壁４１bの両側壁で規定される範囲内において上記凸部４０が弧状の凹部４１ｃ内を相対的に周方向に移動可能としてある。
【００２６】
図３（ａ）、（ｂ）、（ｃ）は、それぞれ手押し杆１５を背面押し状態、対面押し状態としたとき、或いはベビーカー本体を折り畳んだ状態としたときにおけるブラッケット２５とハンドルカバー４１の回動規制部の相対関係を示す図であって、図３（ａ）に示すように、背面押し状態時においてはブラッケット２５に設けられた凸部４０がハンドルカバー４１の隔壁４１ｂの一端壁に当接し、手押し杆１５が図においてそれ以上時計方向への回動が防止される。また、対面押し状態時においては、図３（ｂ）に示すように凸部４０と隔壁４１ｂとは互いに離間した状態となり、手押し杆１５には何ら規制が働くことがなく、手押し杆１５は背面押し状態と対面押し状態間では自由に揺動が可能である。一方、図３（ｃ）に示すように、２つ折り状態にした場合には凸部４０が隔壁４１ｂの他端壁に当接し、手押し杆１５が折り畳まれたベビーカー本体に対してそれ以上前方に倒れることが防止される。すなわち、ベビーカー本体を２つ折り状態に折り畳んだ状態で遠隔操作装置を誤操作して係止フックを解除した場合でも、２つ折り状態になっているベビーカー本体が手押し杆１５に設けられた左右の係止フック３７間を通り抜け、図において時計方向に揺動して後方に倒れてしまうようなことが防止される。
【００２７】
なお、上記実施の形態においてはブラッケット２５に凸部４０を設けたものを示したが、ハンドルカバー４１の方に凸部を設けてもよい。
【００２８】
図５は本発明の他の実施の形態を示す図であって、前記ブラッケットの外側面には、軸３１によるパイプ１７への枢着部より下端部側、すなわち後脚１４との枢着部側に凸部４２が設けられており、ベビーカー本体を２つ折り状態にしたとき上記凸部４２が、前記ロック解除部材３２から突出されたロック解除杆３３に当接するようにしてある。  
しかして、ベビーカー本体を２つ折り状態にした場合にはブラッケットに設けられた凸部４２がロック解除杆３３に当接し、手押し杆１５が折り畳まれたベビーカー本体に対してそれ以上前方に倒れることが防止される。すなわち、ベビーカー本体を２つ折り状態に折り畳んだ状態で遠隔操作装置を誤操作して係止フックを解除した場合でも、２つ折り状態になっているベビーカー本体が手押し杆１５に設けられた左右の係止フック３７間を通り抜け、後方に倒れてしまうようなことが防止される。
【図面の簡単な説明】
【００２９】
【図１】本発明のベビーカーの概略構成を示す斜視図。
【図２】（ａ）は背面押し状態を示す図、（ｂ）は対面押し状態を示す図。
【図３】（ａ）、（ｂ）、（ｃ）は、それぞれ手押し杆を背面押し状態或いは対面押し状態にしたとき、或いはベビーカー本体を２つ折り状態とした場合における回動規制部の作動説明図。
【図４】（ａ）、（ｂ）はそれぞれブラッケットと手押し杆との枢着部の分解斜視図。
【図５】本発明の他の実施の形態を示す図。
【図６】従来のベビーカー本体の概略構成を示す斜視図。
【図７】従来のベビーカーの平面押し状態及び対面押し状態の切換作動説明図。
【図８】ベビーカー本体の２つ折り操作時の作動説明図。
【図９】ベビーカー本体の２つ折り操作時の全体作動説明図。
【図１０】ベビーカー本体を３つ折り状に折り畳んだ状態を示す図。
【符号の説明】
【００３０】
１１  前輪
１２  前脚
１３  後輪
１４  後脚
１５  手押し杆
１６  アームレスト
１７  パイプ
２０  前側連結バー
２１  後側連結バー
２２  連結バー
２５  ブラッケット
２６  ロック部材
２７  遠隔操作装置
３１  軸
３２  ロック解除部材
３３  ロック解除杆
３４  作動板
３５  ボス
３６  ピン
３７  係止フック
３８  第１の係止突起
３９  第２の係止突起
４０  凸部
４１  ハンドルカバー
４１ｂ  隔壁
４１ｃ  弧状の凹部
４２  凸部
【図１】
2005096590.tif 000003
【図２】
2005096590.tif 000004
【図３】
2005096590.tif 000005
【図４】
2005096590.tif 000006
【図５】
2005096590.tif 000007
【図６】
2005096590.tif 000008
【図７】
2005096590.tif 000009
【図８】
2005096590.tif 000010
【図９】
2005096590.tif 000011
【図１０】
2005096590.tif 000012